(57)【要約】  本開示の実施形態によるマスクは、空気濾過機能を果たすように構成された濾過構造体と、濾過構造体に結合されたバックル部分と、バックル部分に接続され、使用者の身体に装着されるストラップと、を含むマスクであって、バックル部分が、濾過構造体に結合され、その両方の側に開口部を有する本体と、一方の側が開口部の側壁にヒンジ留めされ、ストラップを把持する固定片とを含み、ストラップが、固定片の外面の少なくとも一部を取り囲むように固定片の側面と開口部の側壁との間に挿入されており、バックル部分において固定片を取り囲む形状に応じて選択的に一方向又は両方向に摺動自在に移動する。
2021535293.tif 000002
【特許請求の範囲】
【請求項１】
空気濾過機能を果たすように構成された濾過構造体と、
前記濾過構造体に結合されたバックル部分と、
前記バックル部分に接続され、使用者の身体に装着されるストラップと、を備えるマスクであって、
前記バックル部分が、
前記濾過構造体に結合され、その両方の側に開口部を有する本体と、
一方の側が前記開口部の側壁にヒンジ留めされ、前記ストラップを把持する固定片とを備え、
前記ストラップが、前記固定片の外面の少なくとも一部を取り囲むように前記固定片の側面と前記開口部の側壁との間に挿入されており、前記固定片を取り囲む形状に応じて選択的に一方向又は両方向に摺動自在に移動する、マスク。
【請求項２】
互いに対向する、前記固定片の一方の側の側面と前記開口部の側壁との間を通る前記ストラップの一方の部分と、互いに対向する、前記固定片の他方の側の側面と前記開口部の側壁との間を通る前記ストラップの他方の部分とが、前記固定片を基準として、それぞれ一方の側及び他方の側に配置されると、前記ストラップが、前記バックル部分において一方向に摺動自在に移動でき、
互いに対向する、前記固定片の一方の側の前記側面と前記開口部の前記側壁との間を通る前記ストラップの一方の部分と、互いに対向する、前記固定片の他方の側の前記側面と前記開口部の前記側壁との間を通る前記ストラップの他方の部分とが、前記固定片を基準として同じ側に配置されると、前記ストラップが、前記バックル部分において両方向に摺動自在に移動できる、請求項１に記載のマスク。
【請求項３】
鋸歯状部分が、前記固定片の外面から突出している、請求項１に記載のマスク。
【請求項４】
前記鋸歯状部分が、前記固定片の一方の側の側面及び前記固定片の他方の側の側面のうちの少なくとも一方の側面から前方に傾斜している、請求項３に記載のマスク。
【請求項５】
前記鋸歯状部分が、前記固定片の前面から後方に傾斜している、請求項３に記載のマスク。
【請求項６】
前記鋸歯状部分の端部と前記開口部の前記側壁との間の距離が、前記ストラップの厚さよりも短い、請求項３に記載のマスク。
【請求項７】
接合部分が、超音波接合によって前記濾過構造体に接合されるように、前記濾過構造体に面した前記本体の一方の面から突出している、請求項１に記載のマスク。
【請求項８】
前記ストラップの一方の側が、前記バックル部分の一方の側に配置された前記固定片と前記開口部との間に挿入されており、
前記ストラップの他方の側が、前記バックル部分の他方の側に配置された前記固定片と前記開口部との間に挿入されている、請求項１に記載のマスク。
【請求項９】
シート部分が、前記固定片の他方の側の自由端部が前記シート部分に着座されるように、前記自由端部に面した前記開口部の側壁から突出している、請求項１に記載のマスク。
【請求項１０】
傾斜部分が、前記自由端部の厚さを外側に向かって徐々に減少させるように、前記自由端部の前面に形成されている、請求項９に記載のマスク。
【請求項１１】
前記バックル部分及び前記ストラップが、前記濾過構造体の一方の側面及び前記一方の側面とは反対側にある他方の側面に設けられている、請求項１に記載のマスク。
【請求項１２】
前記バックル部分が、射出成形によって一体的に形成されている、請求項１に記載のマスク。
【発明の詳細な説明】
【技術分野】
【０００１】
本開示は、ストラップの長さが調節され得るマスクに関する。
【背景技術】
【０００２】
マスクは、粉塵、小粒子、臭気、又はガスが人体の口又は鼻に入ることを防ぐために装着され、特に、マスクの使用は、産業環境において作業者の健康及び安全性のために必要とされる。
【０００３】
１日に数回装着される必要があるというマスクの特性により、装着が容易であるマスクが製造される。例えば、口及び鼻を覆うカバーの両方の側に弾性ストラップが接続され、耳又は後頭部に弾性ストラップが配置されて、カバーを顔と接触状態にするような方法で装着されるマスクが提案された。
【０００４】
カバーは通常、空気濾過機能を果たす濾過構造体を備えており、ストラップを固定するためにカバーの両方の側に固定構造体が配置され、マスクは、ストラップが固定構造体に結合された状態で使用者に装着される。
【０００５】
上述したストラップを使用してマスクが使用者に装着される場合、使用者は、ストラップの長さを調節して、マスクを使用者の顔にフィットさせ得る。
【発明の概要】
【０００６】
技術的な問題
関連する技術分野のマスクの場合、ストラップの長さを調節することが容易ではなく、使用者は、マスクを装着する際に快適ではない。マスクを装着した後でも、場合によっては、マスクが使用者の顔と密着せず、ひいては、空気濾過効率が低下するという問題がある。
【０００７】
したがって、本開示の目的は、ストラップの長さが容易に調節され得るマスクを提供することである。
【０００８】
技術的解決策
本開示の実施形態によるマスクは、空気濾過機能を果たすように構成された濾過構造体と、濾過構造体に結合されたバックル部分と、バックル部分に接続され、使用者の身体に装着されるストラップと、を含み得る。バックル部分は、濾過構造体に結合され、その両方の側に開口部を有する本体と、一方の側が開口部の側壁にヒンジ留めされ、ストラップを把持する固定片とを含み得る。ストラップは、固定片の外面の少なくとも一部を取り囲むように固定片の側面と開口部の側壁との間に挿入されてもよく、バックル部分において固定片を取り囲む形状に応じて選択的に一方向又は両方向に摺動自在に移動し得る。
【０００９】
有利な効果
本開示の実施形態によるマスクは、ストラップの長さが容易に調節され得る。
【図面の簡単な説明】
【００１０】
【図１】本開示の実施形態によるマスクの概略斜視図である。
【図２】本開示の実施形態によるバックル部分の概略斜視図である。
【図３】本開示の実施形態によるバックル部分の概略斜視下面図である。
【図４】本開示の実施形態によるバックル部分の概略上面図である。
【図５】図２のＡ−Ａ’線に沿った概略断面図である。
【図６】図２のＢ−Ｂ’線に沿った概略断面図である。
【図７】本開示の実施形態による、バックル部分において摺動自在に移動できるように配置されたストラップを示す概略断面図である。
【図８】本開示の実施形態による、バックル部分において固定的に配置されたストラップを示す概略断面図である。
【図９】本開示の別の実施形態によるバックル部分の概略断面図である。
【発明を実施するための形態】
【００１１】
本開示について詳細に説明する前に、以下に記載する発明を実施するための形態及び特許請求の範囲において使用される用語又は単語が、通常の又は辞書的な意味を有すると解釈されるべきではなく、本発明者らが自身の発明を最良の方法で説明するための用語の概念を適切に定義できる、という原理に基づいて、本開示の技術的概念に適合する意味及び概念として解釈されるべきであることについて言及しておく。それゆえ、発明を実施するための形態に記載する実施形態及び図面に示す構成は、最も好ましい実施形態にすぎず、本開示の全ての技術的概念を表してはいない。したがって、本願の出願時に、それらを置き換える様々な等価物及び変形例が存在し得ることを理解されたい。
【００１２】
以下では、添付図面を参照して、本開示の好ましい実施形態について詳細に説明する。添付図面では、同じ要素を同じ参照番号によって示していることに留意されたい。加えて、周知の機能又は構造については、不必要な詳細が本開示の主要な特徴を分かりにくくすることがあるため、詳細には説明していない。同じ理由により、いくつかの要素については、図面において誇張されたり、省略されたり、概略的に示されたりする場合があり、各要素のサイズは、現実のサイズを完全には反映していない。
【００１３】
加えて、説明を通して、「上側部分」、「下側部分」などの表現については、図面中の表示を参照して説明されており、これらは、対応する対象の向きが変更されれば異なるように表現され得ることに留意されたい。
【００１４】
図１は、本開示の実施形態によるマスク１の概略斜視図である。図１を参照すると、本開示のマスク１は、濾過構造体１００、バックル部分２００、及びストラップ３００を含み得る。
【００１５】
濾過構造体１００は、濾過構造体１００を通過する空気の不純物を除去することによって空気を濾過するための部材であってよく、使用者の顔に密着して使用者の鼻及び口を覆うようにカップ状の形状で製造され得る。濾過構造体１００は、空気を濾過するためのフィルタを含み得、例えば、１つ以上の濾過層を含むとともに互いに積み重ねられた複数のシートを有する多層を備え得る。しかし、濾過構造体１００の形状は、提案する実施形態に限定されず、関連する技術分野において通常使用される様々な形態に変更されてもよい。
【００１６】
バックル部分２００は、濾過構造体１００に結合され得る。バックル部分２００は、ストラップ３００を固定するために濾過構造体１００に設けられてもよく、例えば、濾過構造体１００の一方の側面及び一方の側面とは反対側にある他方の側面にそれぞれ設けられてもよい。
【００１７】
以下では、図２〜図６を参照して、実施形態によるマスク１に設けられたバックル部分２００の詳細な構成について説明する。図２は、実施形態によるバックル部分の概略斜視図であり、図３は、実施形態によるバックル部分の概略斜視下面図であり、図４は、実施形態によるバックル部分の概略上面図であり、図５は、図２のＡ−Ａ’線に沿った概略断面図であり、図６は、図２のＢ−Ｂ’線に沿った概略断面図である。
【００１８】
図２〜図６を参照すると、バックル部分２００は、ストラップ３００の長さが調節され得るように、ストラップ３００を濾過構造体１００に固定し得る。例えば、バックル部分２００は、ストラップ３００を一方向又は両方向に移動させ得るように、ストラップ３００を濾過構造体１００に固定することができ、それゆえ、使用者は、ストラップ３００の長さを容易に調節することができる。以下では、バックル部分２００を通るストラップ３００の長さを調節するための詳細な構成について説明する。
【００１９】
バックル部分２００は、射出成形によって形成されてもよく、濾過構造体１００に結合され、その両方の側に開口部２１１を有する本体２１０と、開口部２１１の側壁に一方の側がヒンジ留めされ、ストラップ３００を把持する固定片２２０とを含みんでもよい。本明細書において、本体２１０及び固定片２２０は、射出成形によって互いに一体的に形成されてもよく、又は射出成形によって別個に形成され、互いに結合されてもよい。
【００２０】
本体２１０は、本体２１０の中心線Ｃ１を基準として互いに対称である一方の側及び他方の側を有し得る。濾過構造体１００に結合するための接合部分２１２が、本体２１０の一方の面から、例えば、濾過構造体１００に面した本体２１０の後面２００ａから突出し得る。接合部分２１２は、バックル部分２００が濾過構造体１００に結合されるように、熱接合又は超音波接合によって濾過構造体１００の前面に接合され得る。しかし、バックル部分２００は、接着剤を使用して濾過構造体１００に接合されてもよく、又は濾過構造体１００にまつり付けられてもよい。
【００２１】
開口部２１１は、本体２１０を貫通するように本体２１０の一方の側及び他方の側に形成されてもよく、固定片２２０の一方の側は、開口部２１１の側壁に接続されてもよい。
【００２２】
鋸歯状部分２２１が、一方向に傾斜するように固定片２２０の側面から突出し得る。鋸歯状部分２２１は、ストラップ３００の長さが調節され得るよう、固定片２２０がストラップ３００を把持できるように、上述したように一方向に傾斜している。
【００２３】
図５を参照すると、鋸歯状部分２２１は、例えば、前方に傾斜するように、固定片２２０の側面のいずれか一方に形成され得る。例えば、鋸歯状部分２２１は、固定片２２０の一方の側の側面２２０ｃから突出することができ、この場合、鋸歯状部分２２１は、前方に、すなわち図１を参照すればｘ軸方向に傾斜し得る。
【００２４】
加えて、鋸歯状部分２２１は、固定片２２０の前面に形成されてもよい。換言すれば、図９を参照すると、鋸歯状部分２２１は、固定片２２０の前面から突出し得、この場合、鋸歯状部分２２１は、後方に、すなわち、図１を参照すればｘ軸方向と逆方向に傾斜し得る。後述するように、鋸歯状部分２２１は、ストラップ３００を一方向又は両方向に摺動自在に移動させることができるよう、バックル部分２００がストラップ３００を固定できるように傾斜している。
【００２５】
固定片２２０の側面に形成された鋸歯状部分２２１の端部と開口部２１１の側壁との間の距離ｄ１は、ストラップ３００の厚さよりも短くてもよい。それゆえ、ストラップ３００を固定片２２０と開口部２１１の側壁との間に挿入すると、ストラップ３００は、鋸歯状部分２２１によって押し付けられた状態で固定され得る。
【００２６】
固定片２２０の一方の側は、開口部２１１に結合されてもよく、それによって規制されてもよく、固定片２２０の他方の側は、自由端部２２０ａとして設けられてもよい。本明細書においては、固定片２２０の他方の側の自由端部２２０ａの前面に傾斜部分２２０ｂを形成して、自由端部２２０ａの厚さを減らすように外側に向かって傾斜させてもよい。
【００２７】
この場合、固定片２２０に力を加えると、開口部２１１の側壁に接続された固定片２２０の一方の側の接続部分２２２が伸張して回転するように、固定片２２０の全幅の一部のみを開口部２１１に接続し得る。
【００２８】
シート部分２１１ａが、固定片２２０の他方の側の自由端部２２０ａがシート部分に着座されるように、自由端部２２０ａに面した開口部２１１の側壁から突出してもよい。このことを実現するために、固定片２２０の自由端部２２０ａ及びシート部分２１１ａは、前後方向に少なくとも部分的に互いに重なり合うように配置され得る。
【００２９】
ストラップ３００は、固定片２２０に接続され得る。例えば、ストラップ３００は、一方の側が、バックル部分２００の一方の側に配置された固定片２２０と開口部２１１との間に挿入されるように、かつ、他方の側が、バックル部分２００の他方の側に配置された固定片２２０と開口部２１１との間に挿入されるように、固定片２２０に接続され得る。
【００３０】
ストラップ３００は、ストラップ３００が、固定片２２０の側面と開口部２１１の側壁との間に挿入されるとともに固定片２２０の外面の少なくとも一部を取り囲むような形状で、固定片２２０と接触状態となり得る。この場合、固定片２２０を取り囲むストラップ３００の形状に応じて、ストラップ３００は、バックル部分２００において一方向又は両方向に選択的に摺動自在となり得る。以下では、図７及び図８を更に参照して、ストラップ３００が、固定片２２０を取り囲むストラップ３００の形状に応じて一方向又は両方向に摺動自在に移動する構成について説明する。
【００３１】
図７は、実施形態による、バックル部分において両方向に摺動自在に移動できるように配置されたストラップを示す概略断面図であり、図８は、実施形態による、バックル部分において一方向に摺動自在に移動できるように配置されたストラップを示す概略断面図である。
【００３２】
図７を参照すると、ストラップ３００の両方の端部を固定片２２０を基準として互いに反対側に配置すると、ストラップ３００は、バックル部分２００において両方向に摺動自在に移動可能となり得る。例えば、互いに対向する、固定片２２０の一方の側の側面２２０ｃと開口部２１１の側壁２１１ｃとの間を通るストラップ３００の一方の部分３００ａと、互いに対向する、固定片２２０の他方の側の側面２２０ｄ及び開口部２１１の側壁２１１ｄを通るストラップ３００の他方の部分３００ｂとが、固定片２２０を基準として、それぞれ一方の側ｓ１と他方の側ｓ２とに配置される場合、ストラップ３００は、ストラップ３００の一方の部分３００ａが引かれると、第１の方向ｗ１に摺動自在に移動し得、ストラップ３００は、ストラップ３００の他方の部分３００ｂが引かれると、第２の方向ｗ２に摺動自在に移動し得る。すなわち、ストラップ３００の両方の側を、固定片２２０を基準として互いに反対側に配置すると、ストラップ３００は、固定片２２０の鋸歯状片２２１によって捕捉されずに両方向に摺動自在に移動することができる。したがって、使用者は、マスクを装着する前にストラップ３００を両方向に移動させることにより、ストラップ３００の長さを適切な長さに調節することができる。
【００３３】
図８を参照すると、ストラップ３００の両方の端部を固定片２２０を基準として同じ方向に配置すると、ストラップ３００は、バックル部分２００において一方向に摺動自在に移動可能となり得る。例えば、互いに対向する、固定片２２０の一方の側の側面２２０ｃと開口部２１１の側壁２１１ｃとの間を通るストラップ３００の一方の部分３００ａと、互いに対向する、固定片２２０の他方の側の側面２２０ｄ及び開口部２１１の側壁２１１ｄを通るストラップ３００の他方の部分３００ｂとが、固定片２２０を基準として、同じ側に配置される場合、ストラップ３００は、ストラップ３００の他方の部分３００ｂが引かれると、第２の方向ｗ２に摺動自在に移動し得るが、ストラップ３００は、ストラップ３００の一方の部分３００ａが引かれると、摺動自在に移動し得ず、固定され得る。すなわち、鋸歯状部分２２１の機械的形状により、ストラップ３００は、第２の方向ｗ２に容易に移動し得るが、第１の方向ｗ１には鋸歯状部分２２１によって捕捉されることになり、ストラップ３００の動きは規制され得る。
【００３４】
本明細書において、ストラップ３００の一方の部分３００ａは、使用者の耳に装着される部分を指し得る。それゆえ、使用者がストラップ３００を耳に掛けてマスク１を装着すると、ストラップ３００の一方の部分３００ａ及び他方の部分３３ｂが、同じ位置に配置される。したがって、使用者は、ストラップ３００を使用者の耳に掛けている間にストラップ３００の他方の部分３００ｂを引くことにより、ストラップ３００の長さを短くできるが、ストラップ３００の一方の部分３００ａを逆方向に引いても、ストラップ３００の長さは長くならない。
【００３５】
結果として、使用者は、マスク１を装着する前に、ストラップ３００の両方の側を互いに反対側に配置することができ、ストラップ３００の長さを一次的に調節することができ、マスク１を装着した後に、ストラップ３００の他方の部分３００ｂを引くことにより、ストラップ３００の長さをよりしっかりと調節することができる。上述したように、鋸歯状部分２２１が設けられた固定片２２０は、実施形態によるマスク１がストラップ３００の長さが容易に調節され得るように、バックル部分２００に形成される。
【００３６】
以下は、本開示の実施形態のリストである。
【００３７】
項目１は、空気濾過機能を果たすように構成された濾過構造体と、濾過構造体に結合されたバックル部分と、バックル部分に接続され、使用者の身体に装着されるストラップと、を含むマスクであって、バックル部分が、濾過構造体に結合され、その両方の側に開口部を有する本体と、一方の側が開口部の側壁にヒンジ留めされ、ストラップを把持する固定片とを含み、ストラップが、固定片の外面の少なくとも一部を取り囲むように固定片の側面と開口部の側壁との間に挿入されており、バックル部分において固定片を取り囲む形状に応じて選択的に一方向又は両方向に摺動自在に移動する、マスクである。
【００３８】
項目２は、互いに対向する、固定片の一方の側の側面と開口部の側壁との間を通るストラップの一方の部分と、互いに対向する、固定片の他方の側の側面と開口部の側壁との間を通るストラップの他方の部分とが、固定片を基準として、それぞれ一方の側及び他方の側に配置されると、ストラップが、バックル部分において両方向に摺動自在に移動でき、互いに対向する、固定片の一方の側の側面と開口部の側壁との間を通るストラップの一方の部分と、互いに対向する、固定片の他方の側の側面と開口部の側壁との間を通るストラップの他方の部分とが、固定片を基準として同じ側に配置されると、ストラップが、バックル部分において一方向に摺動自在に移動できる、マスクである。
【００３９】
項目３は、鋸歯状部分が、固定片の外面から突出している、マスクである。
【００４０】
項目４は、鋸歯状部分が、固定片の一方の側の側面及び固定片の他方の側の側面のうちの少なくとも一方の側面から前方に傾斜している、マスクである。
【００４１】
項目５は、鋸歯状部分が、固定片の外面から後方に傾斜している、マスクである。
【００４２】
項目６は、鋸歯状部分の端部と開口部の側壁との間の距離が、ストラップの厚さよりも短い、マスクである。
【００４３】
項目７は、接合部分が、超音波接合によって濾過構造体に接合されるように、濾過構造体に面した本体の一方の面から突出している、マスクである。
【００４４】
項目８は、ストラップの一方の側が、バックル部分の一方の側に配置された固定片と開口部との間に挿入されており、ストラップの他方の側が、バックル部分の他方の側に配置された固定片と開口部との間に挿入されている、マスクである。
【００４５】
項目９は、シート部分が、固定片の他方の側の自由端部がシート部分に着座されるように、自由端部に面した開口部の側壁から突出している、マスクである。
【００４６】
項目１０は、傾斜部分が、自由端部の厚さを外側に向かって徐々に減少させるように、自由端部の前面に形成されている、マスクである。
【００４７】
項目１１は、バックル部分及びストラップが、濾過構造体の一方の側面及び一方の側面とは反対側にある他方の側面に設けられている、マスクである。
【００４８】
項目１２は、バックル部分が、射出成形によって一体的に形成されている、マスクである。
【００４９】
本開示の構成及び特徴について、本開示の実施形態を参照して説明してきたが、本開示はこれらに限定されず、本開示の趣旨及び範囲において様々な変更又は修正を行えることは、当業者にとって自明であり、それゆえ、そのような変更又は修正は、添付の特許請求の範囲に属することに留意されたい。
【図１】
2021535293.tif 000003
【図２】
2021535293.tif 000004
【図３】
2021535293.tif 000005
【図４】
2021535293.tif 000006
【図５】
2021535293.tif 000007
【図６】
2021535293.tif 000008
【図７】
2021535293.tif 000009
【図８】
2021535293.tif 000010
【図９】
2021535293.tif 000011
【国際調査報告】
2021535293.tif 000012
2021535293.tif 000013
2021535293.tif 000014